(57)【要約】      （修正有）【課題】保管箱として再利用でき、資源の無駄がなく、環境に優しく、内蓋板の折曲げが無理なくスムーズに行え、上部開口を簡単に、確実に、安定的に閉塞でき、埃等が入り難く、構成簡素で、取扱い易く、量産に適し、経済性な保管兼用梱包箱を提供する。【解決手段】周壁部の対向する一方の組の壁面夫々の上端縁に一対の外蓋板２０、２１を連設し、他方の組の壁面夫々の上端縁に一対の内蓋板２２、２３を連設し、一対の内蓋板２２、２３夫々に一対の差込片２７を設け、一対の外蓋板２０、２１夫々に差込孔用切込線２６を設け、梱包用として使用する場合は、内蓋板２２、２３が外蓋板２０、２１の下面がわに位置するように折曲げ、保管用として使用する場合は、内蓋板２２、２３が外蓋板２０、２１の上面がわに位置するように折曲げ、差込孔用切込線部分を破断して設けた差込孔に差込片２７を差込むことで、上部開口を閉塞できるよう構成する。【選択図】図３
0003165599.tif 000002
【実用新案登録請求の範囲】
【請求項１】
矩形筒状の周壁部と、この周壁部の下部開口を閉鎖可能な底部と、周壁部の上部開口を開閉自在な蓋部とからなる保管兼用梱包箱であって、周壁部の対向する一方の組の壁面夫々の上端縁に折目線を介して一対の外蓋板を連設すると共に、この一対の外蓋板で周壁部の上部開口を閉鎖可能となるように形成し、周壁部の対向する他方の組の壁面夫々の上端縁に二重折目線を介して一対の内蓋板を連設し、一対の内蓋板夫々の先端左右隅部には折目線を介して一対の差込片が連設されるように形成し、一対の外蓋板夫々には前記差込片が差込み可能となるような差込孔を形成できるようにした差込孔用切込線を設け、梱包用として使用する場合は、内蓋板が外蓋板の下面がわに位置するように折曲げられ、保管用として使用する場合は、内蓋板が外蓋板の上面がわに位置するように折曲げられ、差込孔用切込線部分を破断することにより差込孔を設けると共に、この差込孔に差込片を差込むことで、周壁部の上部開口を閉塞できるよう構成したことを特徴とする保管兼用梱包箱。
【請求項２】
前記周壁部の外表面の一部に情報表示欄を設けたことを特徴とする請求項１記載の保管兼用梱包箱。
【考案の詳細な説明】
【技術分野】
【０００１】
本考案は、梱包箱として適宜商品等を梱包して輸送した後は、適宜商品や書類等の保管箱として利用できるように工夫した保管兼用梱包箱に関するものである。
【背景技術】
【０００２】
従来、この種の梱包箱や保管箱としては、梱包箱としてのみ使用されるもの（例えば、特許文献１）や、保管箱としてのみ使用されるもの（例えば、特許文献２）がある。
そして、梱包箱は、使用後にリサイクルゴミ等として処分され、適宜商品や書類等の保管を行う場合は、別途保管箱を購入していた。
【先行技術文献】
【特許文献】
【０００３】
【特許文献１】特開平１０−８６９２９号公報
【特許文献２】実開平３−３２３５号公報
【考案の概要】
【考案が解決しようとする課題】
【０００４】
そこで、本考案の保管兼用梱包箱は、梱包箱として利用した後は、適宜商品や書類等の保管箱として再利用できるようにして、資源の無駄をなくすと共に、環境にも優しく、しかも、構成が簡素で、取扱い易く、量産に適し、経済性に優れたものを提供できるようにすべく案出されたものである。
【課題を解決するための手段】
【０００５】
しかして、前述の如き課題を達成すべく本考案の請求項１にあっては、矩形筒状の周壁部と、この周壁部の下部開口を閉鎖可能な底部と、周壁部の上部開口を開閉自在な蓋部とからなる保管兼用梱包箱であって、周壁部の対向する一方の組の壁面夫々の上端縁に折目線２４を介して一対の外蓋板２０、２１を連設すると共に、この一対の外蓋板２０、２１で周壁部の上部開口を閉鎖可能となるように形成し、周壁部の対向する他方の組の壁面夫々の上端縁に二重折目線２５を介して一対の内蓋板２２、２３を連設し、一対の内蓋板２２、２３夫々の先端左右隅部には折目線２８を介して一対の差込片２７が連設されるように形成し、一対の外蓋板２０、２１夫々には前記差込片２７が差込み可能となるような差込孔を形成できるようにした差込孔用切込線２６を設け、梱包用として使用する場合は、内蓋板２２、２３が外蓋板２０、２１の下面がわに位置するように折曲げられ、保管用として使用する場合は、内蓋板２２、２３が外蓋板２０、２１の上面がわに位置するように折曲げられ、差込孔用切込線２６部分を破断することにより差込孔を設けると共に、この差込孔に差込片２７を差込むことで、周壁部の上部開口を閉塞できるよう構成する手段を採用した。
【０００６】
また、請求項２にあっては、前記周壁部の外表面の一部に情報表示欄３０を設ける手段を採用した。
【考案の効果】
【０００７】
従って、請求項１記載の保管兼用梱包箱によれば、梱包箱として利用した後は、適宜商品や書類等の保管箱として再利用でき、資源の無駄がなくなると共に、環境にも優しいものとなる。しかも、構成が簡素で、取扱い易く、量産に適し、経済性に優れたものとなる。
【０００８】
特に、周壁部の対向する一方の組の壁面夫々の上端縁に折目線２４を介して一対の外蓋板２０、２１を連設し、周壁部の対向する他方の組の壁面夫々の上端縁に二重折目線２５を介して一対の内蓋板２２、２３を連設してあるので、梱包用として使用する場合に、内蓋板２２、２３を外蓋板２０、２１の下面がわに位置するように折曲げることと、保管用として使用する場合に、内蓋板２２、２３を外蓋板２０、２１の上面がわに位置するように折曲げることとが、二重折目線２５を使い分けることによって無理なくスムーズに行えるようになる。
【０００９】
加えて、保管用として使用する場合は、内蓋板２２、２３が外蓋板２０、２１の上面がわに位置するように折曲げられ、差込孔用切込線２６部分を破断することにより差込孔を設けると共に、この差込孔に差込片２７を差込むことで、周壁部の上部開口を閉塞できるよう構成したので、周壁部の上部開口を簡単に、確実に、且つ安定的に閉塞しておけるようになると共に、埃等が保管兼用梱包箱内に入り難くなる。しかも、周壁部の上部開口を簡単に開くことができ、必要な適宜商品や書類等を取出し易いものとなる。
【００１０】
更に、差込孔は差込孔用切込線２６部分を破断することにより設けられるので、梱包用として使用する場合には差込孔が塞がれており、保管兼用梱包箱内の商品等を確実に保護できるようになる。
【００１１】
また、請求項２記載の保管兼用梱包箱によれば、情報表示欄３０に適宜情報を書き込めるようになり、保管兼用梱包箱内に保管されている商品や書類等の情報が簡単に視認でき、管理し易いものとなる。
【図面の簡単な説明】
【００１２】
【図１】本考案の保管兼用梱包箱を例示する展開図である。
【図２】本考案の保管兼用梱包箱を梱包箱として使用する場合を例示する斜視図である。
【図３】本考案の保管兼用梱包箱を保管箱として使用する場合を例示する斜視図である。
【考案を実施するための形態】
【００１３】
以下、本考案を図示例に基づいて説明すると、次の通りである。
本考案は、梱包箱として適宜商品等を梱包して輸送した後は、適宜商品や書類等の保管箱として利用できるように形成された保管兼用梱包箱である。
具体的には、矩形筒状の周壁部と、この周壁部の下部開口を閉鎖可能な底部と、周壁部の上部開口を開閉自在な蓋部とからなっている。
そして、周壁部の対向する一方の組の壁面夫々の上端縁に折目線２４を介して一対の外蓋板２０、２１を連設すると共に、この一対の外蓋板２０、２１で周壁部の上部開口を閉鎖可能となるように形成し、周壁部の対向する他方の組の壁面夫々の上端縁に二重折目線２５を介して一対の内蓋板２２、２３を連設してある。
更に、一対の内蓋板２２、２３夫々の先端左右隅部には折目線２８を介して一対の差込片２７が連設されるように形成し、一対の外蓋板２０、２１夫々には前記差込片２７が差込み可能となるような差込孔を形成できるようにした差込孔用切込線２６を設けてある。
しかも、梱包用として使用する場合は、内蓋板２２、２３が外蓋板２０、２１の下面がわに位置するように折曲げられ、保管用として使用する場合は、内蓋板２２、２３が外蓋板２０、２１の上面がわに位置するように折曲げられ、差込孔用切込線２６部分を破断することにより差込孔を設けると共に、この差込孔に差込片２７を差込むことで、周壁部の上部開口を閉塞できるよう構成することで、前述の如き課題を達成するものである。
【実施例】
【００１４】
本考案の保管兼用梱包箱は、例えば、適宜紙製ダンボール材（或いは、紙製シート材）や、適宜樹脂製ダンボール材（或いは、樹脂製シート材）や、適宜複合材によるシート材等によって全体が中空直方体状に組立できるよう構成されており、矩形筒状を呈するように形成される周壁部と、この周壁部の矩形状の下部開口部分を閉鎖可能となるように形成される底部と、周壁部の矩形状の上部開口部分を開閉自在となるように形成される蓋部とによって構成されている。
【００１５】
そして、前記周胴部は、例えば、矩形板状の正面板１と、この正面板１の右側縁に折目線６を介して連設される矩形板状の右側面板３と、正面板１の左側縁に折目線６を介して連設される矩形板状の左側面板４と、左側面板４の後端縁に折目線６を介して連設される矩形板状の背面板２と、背面板２の右端縁に折目線６を介して連設される細長台形状の糊代片５とからなり、糊代片５を右側面板３の後端縁がわ内表面に接着して（或いは、他の固定手段を利用しても良い）構成されている。
【００１６】
また、前記底部は、例えば、正面板１の下端縁に折目線１４を介して連設される細長矩形板状の外底板１０と、背面板２の下端縁に折目線１４を介して連設される細長矩形板状の外底板１１と、右側面板３の下端縁に折目線１４を介して連設される矩形板状の内底板１２と、左側面板４の下端縁に折目線１４を介して連設される矩形板状の内底板１３とからなり、内底板１２、１３を折曲げてから、外底板１０、１１を内底板１２、１３の外表面に重なるように折曲げ、外底板１０、１１の継目部分を跨ぐように接着テープ等で接着することにより、底部が構成されるようになっている。
【００１７】
更に、前記蓋部は、例えば、正面板１の上端縁に折目線２４を介して連設される細長矩形板状の外蓋板２０と、背面板２の上端縁に折目線２４を介して連設される細長矩形板状の外蓋板２１と、右側面板３の上端縁に二重折目線２５を介して連設される内蓋板２２と、左側面板４の上端縁に二重折目線２５を介して連設される内蓋板２３とによって構成されている。
しかも、外蓋板２０、２１の折目線２４寄り部分には、細長台形状の差込孔用切込線２６が一部の切り残し部を設けながら形成されている。すなわち、手指等によって差込孔用切込線２６部分を押圧することにより、切り残し部分を破断して、差込孔が設けられるように構成されている。
また、内蓋板２２、２３には、夫々の先端左右隅部に折目線２８を介して一対の矩形状差込片２７が連設されており、この差込片２７が前記外蓋板２０、２１の差込孔に差込自在となるように形成されている。
そして、梱包用として使用する場合は、内蓋板２２、２３を二重折目線２５の下方の折目線によって折曲げてから、外蓋板２０、２１を内蓋板２２、２３の外表面に重なるように折曲げ、外蓋板２０、２１の継目部分を跨ぐように接着テープ等で接着することにより、蓋部が構成されるようになっている。
それから、保管用として使用する場合の蓋部は、外蓋板２０、２１を折目線２４によって折曲げてから、内蓋板２２、２３を外蓋板２０、２１の外表面に重なるように二重折目線２５の上方の折目線によって折曲げ、差込孔用切込線２６部分を破断することにより差込孔を設けると共に、この差込孔に差込片２７を上方から夫々差込むことで、周壁部の上部開口を閉塞できるよう構成されている。
【００１８】
図中３０は、保管兼用梱包箱の周壁部（或いは、蓋部）の外表面の一部に印刷される情報表示欄で、この情報表示欄３０は、保管兼用梱包箱内に保管されている商品や書類等の適宜情報を書き込めるように設けられたもので、保管兼用梱包箱内を確認することなく、保管兼用梱包箱内の保管品の情報を簡単に視認できて、管理し易くするために設けられたものである。
【００１９】
ところで、保管兼用梱包箱の具体的構成、形状、寸法、材質、正面板１の具体的構成、形状、寸法、材質、背面板２の具体的構成、形状、寸法、材質、右側面板３の具体的構成、形状、寸法、材質、左側面板４の具体的構成、形状、寸法、材質、糊代片５の具体的構成、形状、寸法、材質、折目線６の具体的構成、形状、寸法、配設位置、外底板１０、１１の具体的構成、形状、寸法、材質、内底板１２、１３の具体的構成、形状、寸法、材質、折目線１４の具体的構成、形状、寸法、配設位置、外蓋板２０、２１の具体的構成、形状、寸法、材質、内蓋板２２、２３の具体的構成、形状、寸法、材質、折目線２４の具体的構成、形状、寸法、配設位置、二重折目線２５の具体的構成、形状、寸法、配設位置、差込孔用切込線２６の具体的構成、形状、寸法、配設位置、数、差込片２７の具体的構成、形状、寸法、材質、配設位置、数、折目線２８の具体的構成、形状、寸法、配設位置、情報表示欄３０の具体的構成、形状、寸法、配設位置、数等は、図示例等に限定されることなく、適宜自由に設定、変更できるものである。
【産業上の利用可能性】
【００２０】
しかして、本考案の保管兼用梱包箱は、梱包箱として利用した後は、適宜商品や書類等の保管箱として再利用でき、資源の無駄がなくなると共に、環境にも優しく、しかも、構成が簡素で、取扱い易く、量産に適し、経済性に優れたものとなる。
【符号の説明】
【００２１】
１      正面板
２      背面板
３      右側面板
４      左側面板
５      糊代片
６      折目線
１０    外底板
１１    外底板
１２    内底板
１３    内底板
１４    折目線
２０    外蓋板
２１    外蓋板
２２    内蓋板
２３    内蓋板
２４    折目線
２５    二重折目線
２６    差込孔用切込線
２７    差込片
２８    折目線
３０    情報表示欄
【図１】
0003165599.tif 000003
【図２】
0003165599.tif 000004
【図３】
0003165599.tif 000005